(57)【特許請求の範囲】
【請求項１】
形状が異なるように設計された３つの歯（１０）のみ、即ち、第１の歯（１０，１１）と、第２の歯（１０,１２）と、第３の歯（１０,１３）とを含み、９つの切削溝（１８）を形成する歯の群からなる金属製の帯鋸（１）であって、
−第１の歯（１０,１１）は、くさび形の歯として設計され、２つの面取り部（１５）、２つのフランク面（１７）、切断される材料と接触し、且つ第２の歯（１０,１２）によって覆われていない４つの第１の切削エッジ部（７）、及び２つの第２の切削エッジ部（８）を備え、
前記２つのフランク面（１７）の各々は、前記２つの面取り部（１５）の１つに接続され、前記２つの第２の切削エッジ部（８）は、前記４つの第１の切削エッジ部（７）の間に形成され、前記２つの第２の切削エッジ部（８）は、鋸引き中に切削される材料と接触しないように、前記第２の歯（１０,１２）によって覆われ、
−第１の歯（１０,１１）は、鋸引き中に切削される材料と接触するように、前記３つの歯の中で最高の高さと最大の幅を有してチップを除去し、
−第２の歯（１０,１２）は、くさび形の歯として設計され、２つの面取り部（１５）、２つのフランク面（１７）、切断される材料と接触し、且つ第３の歯（１０,１３）によって覆われていない４つの第１の切削エッジ部（７）、及び２つの第２の切削エッジ部（８）を含み、
前記２つのフランク面（１７）の各々は、前記２つの面取り部（１５）の１つに接続され、前記２つの第２の切削エッジ部（８）は、前記４つの第１の切削エッジ部（７）の間に形成され、前記２つの第２の切削エッジ部（８）は、鋸引き中に切削される材料と接触しないように、第３の歯（１０,１３）により覆われ、
−第２の歯（１０,１２）は、その２つのフランク面（１７）の各々が第１の歯（１０,１１）の２つの面取り部（１５）の１つと交差し、第１の歯（１０,１１）の各フランク面（１７）と重ならないように設計されて配置され、
−第２の歯（１０,１２）は、第１の歯（１０，１１）より低い高さと狭い幅を有し、
−第３の歯（１０,１３）は、くさび形の歯として設計され、２つのフランク面（１７）と２つの第１の切削エッジ部（７）を含むが、面取り部を含まず、
−第３の歯（１０,１３）は、その２つのフランク面（１７）の各々が、第１の歯（１０,１１）および第２の歯（１０,１２）の各２つの面取り部（１５）の１つと交差するが、第１の歯（１０,１１）および第２の歯（１０,１３）の各２つのフランク面（１７）と重ならないように設計されて配置され、
−第３の歯（１０,１３）は、前記３つの歯（１０）の中で、最低の高さと最小の幅を有することを特徴とする帯鋸（１）。
【請求項２】
前記第２の歯（１０、１２）は、前記第１の歯（１０、１１）に関するチップセパレータ歯として形成されていることを特徴とする、請求項１に記載の帯鋸（１）。
【請求項３】
前記第２の歯（１０、１２）は、目立てされていないことを特徴とする、請求項１又は２に記載の帯鋸（１）。
【請求項４】
前記帯鋸（１）は歯支持体（２）を有しており、前記歯（１０）は前記歯支持体（２）に沿って繰返し出現するグループの中に配置されていることを特徴とする、請求項１〜３のうちいずれか一項に記載の帯鋸（１）。
【請求項５】
前記第２の歯（１０、１２）は前記第１の歯（１０、１１）に関するチップセパレータ歯として形成され、前記第３の歯（１０、１３）は前記第２の歯（１０、１２）に関するチップブレーカー歯として形成されていることを特徴とする、請求項４に記載の帯鋸（１）。
【請求項６】
前記グループの中で前記歯（１０）のうち２つが目立てされていることを特徴とする、請求項４又は５に記載の帯鋸（１）。
【請求項７】
前記第２の歯（１０、１２）は、そのフランク面（１７）が正面から見て、隣接する前記第３の歯（１０、１３）の切削エッジ（６）の外端部から前記切削溝の幅方向に間隔をあけて前記第１の歯（１０、１１）の面取り部（１５）と交差するように形成されて配置されており、前記間隔は、前記切削溝の幅の少なくとも５％に相当することを特徴とする、請求項１〜６のうちいずれか一項に記載の帯鋸（１）。
【請求項８】
前記帯鋸（１）は、金属製の部材を鋸引きするために用いられることを特徴とする、請求項１〜７のうちいずれか一項に記載の帯鋸（１）。
【発明の詳細な説明】
【技術分野】
【０００１】
本発明は、歯支持体と、この歯支持体に配置された複数の歯とを備える金属製の帯鋸に関する。
【０００２】
この種の帯鋸は、特に、歯が直線的に連続して配列された金属製の帯鋸として形成することができ、金属製部材の鋸引きに用いられる。
【背景技術】
【０００３】
歯支持体と、この歯支持体に接続された複数の歯とを備える帯鋸は、独国特許出願公開第４２００４２３号明細書から知られている。この帯鋸は、出願人の「ＦＵＴＵＲＡ」というブランド名でも知られている。これらの歯は、目立てされていないポジティブな円錐形をした、面取り済みの歯として形成され、１つのグループの中で歯の高さと幅が段階的に変化しており、このグループが歯支持体に沿って繰り返し出現する。このとき、このグループは、最も幅広くかつ最も背の低い歯を表面歯として有し、その他の歯を性能歯として有している。従って、例えば形状を変えて形成されている４種類の歯によって、７つの切削溝部分が形成される。
【０００４】
歯支持体と、この歯支持体に接続された複数の歯とを備える帯鋸は、独国特許出願公開第４３００６２２号明細書から知られている。この帯鋸は、出願人の「ＦＵＴＵＲＡ  ＰＬＵＳ」というブランド名でも知られている。これらの歯は、目立てされていないポジティブな円錐形をした、面取り済みの歯として形成されており、２つのグループに分けられ、これらのグループが歯支持体に沿って入れ子式に繰返し出現する。第１グループには高さと幅が段階的に変化する歯が配置され、性能歯を形成している。第２グループの歯は互いに同一に形成されており、歯の幅は最も広く、表面歯を形成している。従って、例えば形状を変えて形成されている４種類の歯によって、７つの切削溝部分が形成される。
【０００５】
歯支持体と、この歯支持体に接続された複数の歯とを備える帯鋸は、独国特許出願公開第１９７３９０７４号明細書から知られている。この帯鋸は、出願人の「ＳＥＬＥＫＴＡ」というブランド名でも知られている。これらの歯は、歯支持体に沿って繰返し出現するグループの中に配置されている。グループには目立てされた歯が偶数個あり、それらが直接的に連続して並び、表面歯を形成している。さらにこのグループには、高さが最大で目立てされていない歯もあり、これは性能歯を形成している。高さの低い表面歯は、詳細には据え込み加工による弾性塑性変形によって製造されたものである。これにより、形状を変えて形成されている３種類の歯によって、３つの切削溝部分が形成される。
【０００６】
歯支持体と、この歯支持体に接続された複数の歯とを備え、形状を変えて形成されている歯を２種類のみ有する帯鋸は、従来技術では一般的に荒削りカッター及び仕上げカッターとして知られている。これらの２種類の歯は目立てされておらず、歯支持体の長手方向中心面に対して左右対称に形成されている。荒削り歯は面取りされ、仕上げ歯よりも背が高い。これに対して、仕上げ歯には面取りされている歯と、面取りされていない歯があり、切刃の高さでの幅は荒削り歯よりも広くなっている。そのような歯の形状は、「トリプルチップ」歯形とも呼ばれる。これは切削溝の幅に沿って３箇所でチップが取り除かれるからである。従って、形状を変えて形成されている２種類の歯によって、３つの切削溝部分が形成される。
【０００７】
金属を鋸引きするための丸鋸刃は、独国特許出願公開第２５１６１３７号明細書から知られている。この丸鋸刃は、形状を変えて形成されている歯を２種類のみ有している。これらの歯の幅と高さは同一であるが、異なった面取りが行われている。ここでは、突出部における角度０°のフランク面が重なり合うように形成されている。
【０００８】
非金属部材を鋸引きするための丸鋸刃は、独国特許出願公開第１０２０１４２０５４４５号明細書から知られている。この丸鋸刃は、前述の文献の図４に示されている実施形態に従って、形状を変えて形成されている歯を２種類のみ有している。これらの歯は幅が同じで、高さが異なっており、突出部における角度０°のフランク面が重なり合うように形成されている。
【０００９】
丸鋸刃は、特開昭５６―１７６１２５号公報から知られている。前述の文献の図４に示されている丸鋸刃の実施形態は、形状を変えて形成されている歯を２種類有している。これらの歯は幅、高さが異なっている。第１の歯は第２の歯より高く、面取りをして形成されている。第２の歯は、第１の歯より小さく、面取りはされずに形成されている。どちらの歯もわずかに０°より大きいフランク角を有する。第２の歯は、そのフランク面が正面から見て第１の歯の面取り部と交差するように、かつ、第１の歯のフランク面と重ならないように形成、配置されている。前述の文献の図６には、形状を変えて形成された３種類の歯を配置した、別の丸鋸刃の実施形態が示されている。これらの歯は幅、高さが異なっている。第１の歯は最も高く、最も幅が広く、面取りされている。第２の歯は、高さが２番目に高く、最も幅が狭く、面取りはされていない。第３の歯は最も低く、２番目に幅が広く面取りはされていない。全ての歯はわずかに０°より大きいフランク角を有する。第２の歯は、そのフランク面が正面から見て第１の歯の面取り部と交差するように、かつ、第１の歯のフランク面と重ならないように形成、配置されている。第３の歯は、そのフランク面が正面から見て第１の歯の面取り部と交差するように、かつ、第１の歯のフランク面と接触しないように形成、配置されている。さらに、第２の歯は、そのフランク面が正面から見て第３の歯の直線切削部分と交差するよう形成されている。
【００１０】
丸鋸刃は、米国特許第３５７６２００号明細書から知られている。この丸鋸刃は形状を変えて形成されている歯を２種類有している。第１の歯は最も高く、最も幅広い歯で、面取りされている。第２の歯は、高さ・幅共に第１の歯より小さく、面取りはされていない。どちらの歯も正のフランク角を有する。第２の歯は、そのフランク面が正面から見て第１の歯の面取り部と交差するように、かつ、第１の歯のフランク面と重ならないように形成、配置されている。
【００１１】
帯鋸は、国際公開第２００６／０９０８２８号明細書から知られている。前述の文献の図５に示されている実施形態において、この帯鋸は、形状を変えて形成されている歯を３種類有している。第１の歯は最も高く、面取りされている。第２の歯は２番目に高く、面取りされていない。第３の歯は最も低く、最も幅が広く面取りされていない。全ての歯は正のフランク角を有する。第２の歯は、そのフランク面が正面から見て第１の歯の面取り部と交差するように、かつ、第１の歯のフランク面と重ならないように形成、配置されている。第３の歯は、そのフランク面が正面から見て第１の歯の面取り部と交差しないように、かつ、第１の歯のフランク面と重なるように形成、配置されている。前述の文献の図７には、別の実施形態として、形状を変えて形成されている４種類の歯を有する帯鋸が記載されている。第１の歯は最も高く、面取りされている。第２の歯は２番目に高く、面取りされていない。第３の歯は３番目に高く、面取りされていない。第４の歯は最も低く、最も幅が広く、面取りされていない。第２の歯を除く全ての歯は正のフランク角を有する。第２の歯は０°のフランク角を有する。第２の歯は、そのフランク面が正面から見て第１の歯の面取り部と交差するように、かつ、第１の歯のフランク面と重ならないように形成、配置されている。
【００１２】
帯鋸は、特開２００９―０６６７３０号公報から知られている。前述の文献の図４に示されている実施形態によれば、この帯鋸は、形状を変えて形成されている歯を３種類有している。第１の歯は最も高く、面取りされている。第２の歯は２番目に高く、面取りされていない。第３の歯は最も低く、最も幅が広く面取りされていない。第１の歯と第２の歯は正のフランク角を有し、第２の歯は負のフランク角を有する。第２の歯は、そのフランク面が正面から見て第１の歯の面取り部と交差するように、かつ、第１の歯のフランク面と重ならないように形成、配置されている。第３の歯は、そのフランク面が第１の歯のフランク面と重なるよう形成、配置されている。
【先行技術文献】
【特許文献】
【００１３】
【特許文献１】独国特許出願公開第４２００４２３号明細書
【特許文献２】独国特許出願公開第４３００６２２号明細書
【特許文献３】独国特許出願公開第１９７３９０７４号明細書
【特許文献４】独国特許出願公開第２５１６１３７号明細書
【特許文献５】独国特許出願公開第１０２０１４２０５４４５号明細書
【特許文献６】特開昭５６―１７６１２５号公報
【特許文献７】米国特許第３５７６２００号明細書
【特許文献８】国際公開第２００６／０９０８２８号明細書
【特許文献９】特開２００９―０６６７３０号公報
【発明の概要】
【発明が解決しようとする課題】
【００１４】
本発明は、鋸引きする材料の表面の質を高め、高性能であると同時に、低コストで製造可能な帯鋸を提供するという課題に基づいている。
【課題を解決するための手段】
【００１５】
本発明の課題は、本発明に従って、独立請求項１の特徴によって解決される。
【００１６】
本発明に基づくその他の好ましい実施形態は、従属請求項に示されている。
【００１７】
本発明は、請求項１に基づく帯鋸に関する。
【００１８】
切削溝：本出願における切削溝とは、帯鋸によって鋸引きする材料に生じる溝を意味する。この溝は、帯鋸の歯によるチップの除去によって生じる。
【００１９】
切削溝部分：本出願における切削溝部分とは、溝幅方向に連続するチップが除去される切削溝の部分領域を意味する。従って、例えば図４に斜線部分として示されているさまざまな帯状部分がこれに該当する。
【００２０】
有効な切削エッジ部分：本出願における有効な切削エッジ部分とは、帯鋸の歯の切刃の切削エッジ部分であって、帯鋸の他の歯に対して寸法及び配置を定めることにより、鋸引きで切削する材料と接触してチップを除去する部分を意味する。
【００２１】
無効な切削エッジ部分：本出願における無効な切削エッジ部分とは、帯鋸の歯の切刃の切削エッジ部分であって、他の歯に対して寸法及び配置を定めることにより、鋸引きで切削する材料との接触がなく、従ってチップを除去しない部分を意味する。
【００２２】
表面歯：本出願における表面歯とは、鋸引きされる部材表面の質の形成に影響を与える帯鋸の歯を意味する。
【００２３】
表面歯は、帯鋸の運動方向に向かって突き出る帯鋸の突出部において外部側面の境界を画定する歯である。表面歯が目立てされていない歯の場合、この表面歯が最も幅広の歯であることを意味する（図４を参照）。表面歯が目立てされた歯の場合、このことは、前述した突出部において目立てされた歯の側面が前述したような形で他の歯よりも突き出るように、目立て幅が選択されていることを意味する（図２７などを参照）。
【００２４】
性能歯：本出願における性能歯とは、表面歯とは異なり、主として帯鋸の切削性能に影響を与える帯鋸の歯を意味する。すなわち、そのような歯は、他の歯に比べ少なくとも特定の部分が帯鋸の送り方向に突出している。帯鋸の運動方向に向かって突き出る前述した突出部において（図４などを参照）、そのような性能歯は、切削溝の内側領域において、溝の表面から離れてチップを除去する歯である。
【００２５】
チップブレーカー歯：本出願におけるチップブレーカー歯とは、１つのチップをその幅に沿って複数のチップに破砕、分割、細分化又は切断するために用いられる帯鋸の歯を意味する。従って、それによって生じるチップは、幅がより狭くなる。このようなチップブレーカー歯は、チップ幅破砕機の歯、チップ分割歯、チップ幅分割歯、チップ切断歯、チップ破砕機の歯、切削溝破砕機の歯、切削溝切断機の歯、切削溝切断形成機の歯、５倍歯又はＴＡＵＲＵＳR歯とも呼ばれる。
【００２６】
ポジティブな円錐形の歯：本出願におけるポジティブな円錐形の歯とは、帯鋸の運動方向に向かって突き出た突出部が、例えば図４に示されているように、下に行くほど細くなるくさび形を有している帯鋸の歯を意味し、そのフランク面は垂直線に対してポジティブな逃げ角で配置されているため、歯及び帯鋸が切削溝に挟まって動かなくなるのを防ぐ。
【００２７】
歯支持体：本出願における歯支持体とは、帯鋸の歯が配置されている帯鋸の一部分を意味する。この関連において、しばしば帯鋸の「本体」とも呼ばれる。しかし、「歯支持体」という用語の方が、それ自体は歯とは呼べないものの、歯が配置されている帯鋸の一部分であることをより明確に表現している。この場合、歯支持体と歯では、機能面と材料面に違いがあることに注意しなければならない。歯の機能に関しては、歯の底部にある歯基底部から始まっている。しかし、この歯基底部は、歯支持体と同じ材料からなり、歯支持体と一体形成されている場合が多い。言い換えると、この材料部分は歯支持体の機能を満たしており、その他の部分は歯基底部及び歯の機能を満たしている。従って、材料に関しては、歯支持体からかなり離れた歯の先端領域で分割されている。
【００２８】
番号付けの説明：「第１の歯」。「第２の歯」、「第１の数」、「第２の数」、「第１の方向」、「第２の方向」などの意味で、歯又はその他の特徴を示す用語は、まず、歯又はその他の特徴を相互に区別する目的にのみ用いられ、従って帯鋸に配置されている順番を意味するものではない。ただし、これによって、歯が正確にこの順番で（必要に応じて、別の歯を間に挟んで）配置されていることもあり得る。
【００２９】
グループごとに形状を変えて形成及び／又は配置されている比較的少数の歯を用いて、鋸引き中に比較的多数の切削溝部分を形成する帯鋸が提供される。これにより、１つの歯当たりの切削溝部分が増加する。
【００３０】
従って、この新しい帯鋸の製造費は、形状を変えて形成されている歯をより多く有している帯鋸に比べて軽減される。しかし、同時に、形状を変えて形成されている歯が同数であっても、帯鋸の特性は従来技術の帯鋸に比べ改善されている。この利点は、それぞれの歯グループにおいて少なくとも１つのチップブレーカー歯を適切に形成し、配置することによって実現される。
【００３１】
このチップブレーカー歯により、形状を変えて形成されている他の歯の切削エッジ部分は、グループ内で有効な切削エッジ部分と無効な切削エッジ部分に細分化されることになる。従って、この他の歯は、チップブレーカー歯によってより多くのチップを切削溝の幅に沿って生成する。
【００３２】
製造費は荒削りカッター及び仕上げカッターによる帯鋸よりも上昇することはない。なぜなら、歯に施される研磨面の数は換わらないか、もしくはほとんど増加しないからである。従って、製造費はグループ方式による従来技術の帯鋸の製造費よりも軽減される。
【００３３】
チップブレーカー歯により、切削性能の向上、切込み挙動の改善、良好な直進安定性、振動特性の改善、騒音発生の低下、表面の質の改善が得られる。特に、第１の歯（チップブレーカー歯ではない）が性能歯と表面歯を組み合わせた歯であり、かつ最大高さを有する歯として形成されているので、切込み挙動がさらに改善する。第１の歯は、切削溝中心部の有効な切削エッジによってガイド歯として機能する。同時に、この歯は最大の歯幅をしているため、切削溝の幅もこれによって決定される。従って、この帯鋸はたわみに対して抵抗力を有している。
【００３４】
第１の歯は、特にグループ内で最も背の高い歯であってよい。第２の歯は、特にグループ内で２番目に背の高い歯とすることができる。しかしまた、これらの歯は、それぞれの図における配置に従って名前を付けてもよい。この場合は特に、最前列の歯を第１の歯とし、その直後に配置されている歯を第２の歯などと表記できる。基本的に歯の順番はグループ内で自由に選択可能であることも考慮しなければならない。
【００３５】
（非チップブレーカー歯の）第１の歯の無効な切削エッジ部分は、そこに配置されている第２の歯によって生じる。すなわち、第２の歯は第１の歯に関するチップブレーカー歯として形成されている。チップブレーカー歯は、第１の歯の無効な切削エッジ部分を覆い、そこに自ら有効な切削エッジ部分を有している。すべての切削エッジ部分は切削溝の幅に沿って途切れなく並んでいるので、それらの合計が切削溝の全幅になる。それぞれの切削溝部分は、１つ以上の歯の有効な切削エッジ部分によって形成される。１つ又は複数の新しいチップブレーカー歯により、１つの歯につきより多くの切削溝部分が生じる。このことは、切削溝部分の少なくとも１つの部分の幅が減少していることも意味する。
【００３６】
非チップブレーカー歯は面取りされて形成されている。つまり、この歯は、少なくとも片方の側に少なくとも１つの面取り部を有している。好ましくは、この歯は両側にそれぞれ１つの面取り部を有している。これらの面取り部は、左右対称又は左右非対称に形成されていてよい。
【００３７】
チップブレーカー歯は、面取りせずに形成することができる。これにより、面取り部の研磨加工が省略されるため、製造にかかる費用が大幅に削減される。しかしまた、チップブレーカー歯は面取りして形成することも可能である。
【００３８】
１つの歯を除き、グループ内のすべての歯は面取りせずに形成されていてよい。これにより、研磨加工にかかる費用を最小化できる。
【００３９】
チップブレーカー歯は、目立てされずに形成されてよい。形状を変えて形成されている歯がグループ内に２つしかない場合、チップブレーカー歯は長手方向中心面に対して左右対称に形成されている。しかし、形状を変えて形成されている歯がグループ内に３つある場合は、チップブレーカー歯を長手方向中心面に対して左右非対称に形成することもできる。この第３の歯も同様にチップブレーカー歯であり、他方のチップブレーカー歯に対して左右非対称かつ鏡面対称に形成され、配置されている。この場合、配置に応じて、両方のチップブレーカー歯は機能的に共通して１つのチップブレーカー歯のみを形成する。
【００４０】
このチップブレーカー歯は、正面から見て（すなわち、突出部が帯鋸の運動方向に向かって突き出ている）、そのフランク面が非チップブレーカー歯の面取り部と交差し、非チップブレーカーの歯のフランク面とは交差しないように形成され、配置されている。特にこのことは、チップブレーカー歯が、非チップブレーカー歯よりも幅細に形成されていることを意味している。これにより、切削溝の左右外側に非チップブレーカー歯によって作られるそれぞれ１個のチップ（すなわちチップ１とチップ２）のためのスペースが生じる。内側にはそれぞれ次のチップが続き（すなわちチップ３とチップ４）、このチップは主に非チップブレーカー歯の面取り部によって作られる。最も内側には５番目のチップが生じ、主にこのチップは最大高さを有する性能歯の直線の切削エッジ部分によって形成される。
【００４１】
チップブレーカー歯はポジティブなフランク角を有する。すなわち、これはポジティブな円錐形の歯であり、歯の先端から歯支持体の方向に見て細くなっている歯を意味する。これにより、歯が切削溝に挟まって動かなくなるのを防ぐ。
【００４２】
歯は、特に歯支持体に沿って繰返し出現するグループの中に配置されている。この場合、ピッチは、グループ内の歯間距離及びグループ間の距離がどちらも一定しているという意味で一定のピッチであってよい。これらの距離は同一でも、あるいは異なっていてもよい。しかしまた、ピッチは、グループ内の歯間距離及び／又はグループ間の距離が異なっているという意味で可変ピッチであってもよい。
【００４３】
グループは、形状を変えて形成されている歯を２つだけ有していてよい。すなわち、グループ内には異なる２種類の歯だけが存在する。このグループが帯鋸に繰返し配置されている。この場合、さまざまに形成された多数の歯を有する別のグループをさらに帯鋸に配置することも可能である。
【００４４】
グループは、形状を変えて形成されている歯を３つだけ有していてもよい。すなわち、グループ内には異なる３種類の歯だけが存在する。このグループが帯鋸に繰返し配置されている。この場合、さまざまに形成された多数の歯を有する別のグループをさらに帯鋸に配置することも可能である。
【００４５】
形状を変えて形成されている２つの歯がグループ内にあり、そのうちの１つの歯はチップブレーカー歯として形成されている場合、５つの切削溝部分を形成することができる。形状を変えて形成されている３つの歯がグループ内にあり、そのうちの１つの歯はチップブレーカー歯として形成されている場合、７つの切削溝部分を形成することができる。形状を変えて形成されている３つの歯がグループ内にあり、そのうちの２つの歯はチップブレーカー歯として形成されている場合、９つの切削溝部分を形成することができる。形状を変えて形成されている４つの歯がグループ内にあり、そのうちの１つの歯はチップブレーカー歯として形成されている場合、９つの切削溝部分を形成することができる。形状を変えて形成されている４つの歯がグループ内にあり、そのうちの２つの歯はチップブレーカー歯として形成されている場合、１１の切削溝部分を形成することができる。形状を変えて形成されている４つの歯がグループ内にあり、そのうちの３つの歯はチップブレーカー歯として形成されている場合、１３の切削溝部分を形成することができる。同じことが、グループ内の５つ、６つ、７つ以上の歯にも当てはまる。
【００４６】
切削溝部分の最大数及びそれに対応するチップの最大数は、以下の方程式によって特定することができる。
Ｓ＝２Ｇ−１＋２Ｔ
この場合、次のことが該当する：
Ｓ＝グループ当たりの切削溝部分の数
Ｇ＝グループ内の歯の総数
Ｔ＝グループ内のチップブレーカー歯の数
【００４７】
第２の歯は第１の歯に関するチップブレーカー歯として形成され、第３の歯は第２の歯に関するチップブレーカー歯として形成されていてよい（図１０などを参照）。このことは、それぞれのチップブレーカー歯が他の歯の切削エッジ部分の機能分割を各々１つずつ引き受けることで、第１の部分は有効な切削エッジ部分となり、次の第２の部分は無効な切削エッジ部分となり、それに続く第３の部分は有効な切削エッジ部分となっていることを意味する。
【００４８】
第３の歯は、第１又は第２の歯のチップブレーカー歯として形成することができる。第３の歯が第２の歯のチップブレーカー歯として、及びこの第２の歯が第１の歯のチップブレーカー歯として形成されている場合、９つの切削溝部分を形成することができる（図１０などを参照）。第３の歯が第１の歯のチップブレーカー歯として形成され、この第１の歯がチップブレーカー歯として形成されていない場合は、７つの切削溝部分が生じる（図９などを参照）。
【００４９】
グループ内の歯の２つは目立てされていてよい。これに該当する歯は第２及び第３の歯であり、第１の歯は目立てなしで形成されている。目立てされている一方の歯は左へ目立てされ、他方の歯は右へ目立てされている。従って、左へ目立てされた歯は第１の歯の左側に関するチップブレーカー歯になり、右へ目立てされた歯は第１の歯の右側に関するチップブレーカー歯になる。この場合、両方のチップブレーカー歯は、機能的に共通して１つだけのチップブレーカー歯を形成する。
【００５０】
チップブレーカー歯は、非チップブレーカー歯よりも小さな最大高さ及び最大幅を有する。非チップブレーカー歯が最大高さ及び最大幅を有している。従って、この非チップブレーカー歯は性能歯と表面歯を組み合わせた歯である。
【００５１】
帯鋸は、第１の面取りした歯と第２の歯を有していてもよく、第２の歯は、そのフランク面が正面から見て第１の歯の面取り部と交差するように形成され、配置されている。この第２の歯は、そのフランク面が正面から見て第１の歯のフランク面と交差しないように形成され、配置されていてよい。
【００５２】
第２の歯は、そのフランク面が正面から見て、隣接する第１の歯の切削エッジの外端部から切削溝の幅方向に間隔をあけて第１の歯の面取り部と交差するように形成され、配置されていてよく、この間隔は、切削溝の幅の少なくとも５％、特に少なくとも６．５％、詳細には少なくとも８％、さらに詳細には約１０％及び／又は最大１８％、特に最大１８．５％、詳細には最大２０％に相当する。すなわち、この間隔は、第１の歯の有効な切削エッジの、第２の歯と重なっていない領域が、適切な幅でチップ形成に使用されるように決められている。
【００５３】
帯鋸は、特に金属製又は金属合金製の部材を鋸引きするために用いる。しかしまた、このような種類の帯鋸によって、その他の材料、特に木材、プラスチック、炭素繊維強化プラスチック（ＣＦＲＰ）及びその他の合成物を鋸引きすることもできる。
【００５４】
帯鋸の歯は、寸法の決められた切刃形状を備える切刃を有している（寸法の決められていない切刃形状を備える切刃とは異なる。ＤＩＮ８５８０を参照）。
【００５５】
歯支持体及び歯基底部は、金属、特にスチール製である。
【００５６】
切刃及び歯の先端の少なくとももう１つの部分も同様に金属製である。この材料は歯支持体及び歯基底部の材料よりも高硬度であることから、この帯鋸は全体として金属材料の鋸引きに非常に適している。材料は、例えば高速度鋼（ＨＳＳ）、すなわち、合金元素として、タングステン、モリブデン、バナジウム、コバルト、ニッケル及び／又はチタンを用いた合金工具鋼であってよい。しかしまた、超硬合金、セラミック切削材、ダイヤモンドなど、その他の切削材も可能である。超硬合金とは焼結したカーバイド超硬合金を意味する。一般的に、これは超硬材料としてタングステンカーバイド、結合剤としてコバルトを有している。その他の超硬合金は、超硬材料としてチタンカーバイド及び窒化チタンを、結合剤としてニッケル、コバルト、モリブデンを有しており、サーメットと呼ばれる。
【００５７】
切刃及び必要に応じて歯先端の別の部分に、歯の耐摩耗性を高める超硬材料層を施すこともできる。
【００５８】
歯又は歯先端の硬度は、歯支持体の突出部にインサートを固定することによって、歯支持体より増加させることができる。このインサートにより、突出部の材料及び歯支持体の材料に比べ、より高い硬度と耐摩耗性が得られる。これらのインサートは鋳物として形成されており、独立したエレメントとして製造した後、特に溶接又はハンダ付けによって突出部に永久接続される。しかしまた、その代わりに、帯鋸はバイメタル帯鋸であってもよい。
【００５９】
少なくとも一部の歯は、約１０°以上、詳細には約１２°以上のすくい角、及び／又は約１８°以上、詳細には約２０°以上の逃げ角を有していてよい。これによって刃物角が縮小し、切れ味が良くなる。また、切削力が軽減され、鋸引きする部材材料のひずみ硬化が防止される。すくい角を大きくすると、チップ形成作業が少なくて済む。逃げ角を大きくすると、切削加工プロセスにおける摩擦力が減少する。
【００６０】
これまでに述べた帯鋸及び後述する帯鋸のすべての実施形態では、歯の順序、ピッチ、高さ、幅、面取り数、面取り長さ、フランク角、水平な切削エッジ部分などに違いがあることがある。
【００６１】
本発明の有利な発展形態は、請求項、明細書及び図に示されている。明細書で示された、特徴及び複数の特徴の組合せの利点は単なる例であって、代替として又は追加的に作用することができ、これらの利点が、必ずしも本発明に基づく実施形態によって達成される必要はない。このことから、添付の請求項の対象を変更することなく、元の出願書類及び特許の開示に関しては次のことが有効である。すなわち、その他の特徴は、とくに図示されている形状及び複数のコンポーネント相互の相対的寸法、並びにそれらの相対的配置及び動作可能な接続が示された図を参照することができる。本発明の様々な実施形態の特徴の組合せ又は様々な請求項の特徴の組合せも、請求項の参照請求項が選択されていたとしても同様に可能であり、これをもって提案される。このことは、個々の図に示されている特徴、又はそれらの説明で言及される特徴にも該当する。これらの特徴は、様々な請求項の特徴と組み合わせることも可能である。同様に、請求項に記載されている、本発明のさらなる実施形態の特徴は廃止することもできる。
【００６２】
請求項及び明細書の中で示された特徴は、それらの数に関して、ちょうどこの数又は示された数よりも大きい数があることを意味しており、「少なくとも」という副詞の明確な使用を必要としない。すなわち、例えば１つの面取り部について言及している場合、このことは、正確に１つの面取り部、２つ以上の面取り部があることを意味している。これらの特徴はその他の特徴によって補完されるか、又は唯一の特徴であってよく、それらの特徴からそれぞれの成果が構成される。
【００６３】
請求項の中に含まれる符号は、請求項によって保護されている対象の範囲を制限するものではない。これらの符号は、請求項の理解を簡単する目的にのみ使用されている。
【００６４】
以下に、図に示された好ましい実施例を使って、本発明をさらに詳しく説明する。
【図面の簡単な説明】
【００６５】
【図１】新しい帯鋸の第１の実施例の側面図である。
【図２】図１による帯鋸の平面図である。
【図３】図１による帯鋸の正面図である。
【図４】切削溝を図示した、図１による帯鋸の正面図である。
【図５】切削溝を図示した、荒削りカッター及び仕上げカッターによる従来技術の帯鋸の正面図である。
【図６】切削溝を図示した、グループ方式による従来技術の帯鋸の正面図である。
【図７】切削溝を図示した、新しい帯鋸の第２の実施例の正面図である。
【図８】切削溝を図示した、新しい帯鋸の第３の実施例の正面図である。
【図９】切削溝を図示した、新しい帯鋸の第４の実施例の正面図である。
【図１０】切削溝を図示した、新しい帯鋸の第５の実施例の正面図である。
【図１１】切削溝を図示した、新しい帯鋸の第６の実施例の正面図である。
【図１２】切削溝を図示した、新しい帯鋸の第７の実施例の正面図である。
【図１３】切削溝を図示した、新しい帯鋸の第８の実施例の正面図である。
【図１４】切削溝を図示した、新しい帯鋸の第９の実施例の正面図である。
【図１５】切削溝を図示した、新しい帯鋸の第１０の実施例の正面図である。
【図１６】切削溝を図示した、新しい帯鋸の第１１の実施例の正面図である。
【図１７】切削溝を図示した、新しい帯鋸の第１２の実施例の正面図である。
【図１８】切削溝を図示した、新しい帯鋸の第１３の実施例の正面図である。
【図１９】切削溝を図示した、新しい帯鋸の第１４の実施例の正面図である。
【図２０】切削溝を図示した、新しい帯鋸の第１５の実施例の正面図である。
【図２１】切削溝を図示した、新しい帯鋸の第１６の実施例の正面図である。
【図２２】切削溝を図示した、新しい帯鋸の第１７の実施例の正面図である。
【図２３】切削溝を図示した、新しい帯鋸の第１８の実施例の正面図である。
【図２４】切削溝を図示した、新しい帯鋸の第１９の実施例の正面図である。
【図２５】新しい帯鋸の第２０の実施例の側面図である。
【図２６】図２５による帯鋸の平面図である。
【図２７】切削溝を図示した、図２５による帯鋸の正面図である。
【図２８】新しい帯鋸の第２１の実施例の側面図である。
【図２９】図２８による帯鋸の平面図である。
【図３０】切削溝を図示した、図２８による帯鋸の正面図である。
【図３１】切削溝を図示した、新しい帯鋸の第２２の実施例の正面図である。
【図３２】切削溝を図示した、新しい帯鋸の第２３の実施例の正面図である。
【発明を実施するための形態】
【００６６】
図１〜４は、新しい帯鋸１の第１の実施例をさまざまな方向から見た図である。
【００６７】
図に示されているのは帯鋸１の一部だけであり、図示されている部分は引き続き、図１においては左右及び下方に、図２においては左右に延びている。従って、図１及び図２における左端と右端にある垂直な線及び図１の矢印の上にある水平線は単なる中断線でしかない。図１及び図２の描画は、１：３の縮尺に従っている。
【００６８】
帯鋸１が帯鋸の運動方向９に長く延びる帯鋸として形成されている。帯鋸１自体は金属製であり、金属の鋸引きに用いられる。しかしまた、その他の材料から製造することも、及び／又はその他の素材の鋸引きに用いることもできるであろう。
【００６９】
帯鋸１は歯支持体２を有しており、この歯支持体については一部分しか図示されていない。この歯支持体２は多数の突出部３を有し、これらの突出部にはそれぞれ１つのインサート４が固定されている。インサート４を備える突出部３は、切刃５を備える歯１０を形成している。インサート４は、帯鋸１の突出部３及び歯支持体２の材料よりも硬い材料からなる。好ましくは、インサート４の材料は超硬合金である。しかしまた、その他の適合する材料であってもよいであろう。インサート４は、それぞれに割り当てられている突出部３と、特にハンダ付け又は溶接によって固定されている。しかしまた、帯鋸１は例えばバイメタル帯鋸として形成されていてもよいであろう。
【００７０】
帯鋸１は、形状を変えて形成されている２つの歯１０をグループ内に有している。歯１０は、グループ内に一定のピッチで配置されている。このグループは、次に、帯鋸１の長さに沿って一定のピッチで繰り返し出現する。しかしまた、可変ピッチを用いてもよいだろう。
【００７１】
帯鋸１の歯１０の新しい実施形態は、特に図３及び図４に分かりやすく示されている。これらの図は、それぞれ帯鋸１の正面図である。この正面図は、帯鋸の運動方向９に向かって突き出た帯鋸１の突出部に該当する。この図では歯１０が重なり合っているため、少数の歯１０のみ、この例では２つの歯１０しか図示されていない。しかし、これらの歯１０の前後には、図１及び２に示されているように、その他の歯１０が配置されていることが分かる。
【００７２】
歯１０はそれぞれ切刃５を有しているが、図３及び図４ではこの切刃の切削エッジ６しか確認できない。さらに切削エッジ６はさまざまな部分を有している。この種の部分が鋸引きの際に鋸引きする材料と接触する場合、この部分は有効な切削エッジ部分７と呼ばれる。このことが当てはまらない場合、それぞれの部分は突出部の他の歯１０の部分によって覆われるので、無効な切削エッジ部分８となる。
【００７３】
本例において、帯鋸１は形状を変えて形成されている２つの歯１０をグループ内に有している。
【００７４】
第１の歯１１は面取りした歯１０であり、切削エッジ６の部分を形成し、長手方向中心面に対して左右対称に切削エッジ６の直線部分１６につながる２つの面取り部１５を備えている。この場合の面取り角は約４５°である。しかしまた、面取り部１５は、例えば５０°〜２０°、詳細には約３０°など、その他の傾斜を有してもよいだろう。さらに下方を見ると、それぞれの面取り部１５にフランク面１７が続いている。この実施例におけるフランク面１７は、約６°のフランク角を有している。しかしまた、例えば２°〜８°、詳細には約３°など、その他のフランク角を有することもできるだろう。第１の歯１１は、性能歯と表面歯の組み合わせであり、ポジティブな円錐形の歯として形成されている。
【００７５】
さらに、この歯グループは第２の歯１２も有している。第２の歯１２は、この場合、面取りされずに形成されているため、そのフランク面１７は切削エッジ６の直線部分１６に直接つながっている。フランク角は同様に６°である。しかしまた、その他のフランク角が選択されていてもよいであろう。第２の歯１２は、性能歯、ポジティブな円錐形の歯及びチップブレーカー歯として形成されている。
【００７６】
第１の歯１１と第２の歯１２の相互作用によって行われる切削作業は、図４の上部に示されている切削溝部分１８に詳しく図示されている。形状を変えて形成されている２つの歯１１及び１２だけを用いても、５つの切削溝部分１８が形成される。この新しい歯の形状及び配置は、「５倍チップ」形状とも呼ぶことができる。これにより、第２の歯１２をチップブレーカー歯として形成することができる。
【００７７】
このことは、特に、歯１２が第１の歯１１の切削エッジ６の一部を覆い隠すことにより、第１の歯がそれぞれその面取り部１５に２つの有効な切削エッジ部分７を有することになり、それらの間に第１の歯１１の無効な切削エッジ部分８が形成されることを意味している。中間に配列された無効な切削エッジ部分８は、第２の歯１２と重なり合う部分である。すなわち、無効な切削エッジ部分８の中間配置は、長手方向中心面から外側へ見て第１の歯１１の切削エッジ６の最も外側の地点の手前で重なり合いが終了することによって生じる。
【００７８】
図４に示されているように、これにより、外から２番目の両方の切削溝部分１８の外側領域には、第２の歯の直線部分１６と面取り部１５との間の移行部という意味での鋭いエッジは存在しない。その代わり、ここには連続する直線部分１６だけがある。これにより、この切削溝部分１８では表面品質が改善されている。
【００７９】
図３及び４の例では、第１の歯１１が、第２の歯１２よりも大きな最大高さと最大幅を有している。従って、第１の歯１１は性能歯と表面歯の組み合わせとして形成されている。第２の歯１２は純粋な性能歯であり、切削溝の横側表面の形成には加わっていない。第２の歯１２は、そのフランク面１７が第１の歯１１の面取り部１５と交差し、第１の歯１１のフランク面１７とは接触又は重なり合わないように形成され、配置されている。
【００８０】
ポジティブなフランク角により、アンダーカット又は逃げ、あるいは逃げ角が生じる。これにより、摩擦が減少し、並んで発生するチップを分割しやすくなる。従って、振動の発生も抑制されるため、鋸引き時の騒音が減少する。しかしまた、ネガティブなフランク角又は０°のフランク角を選択することもできるであろう。この場合、アンダーカットはできない。
【００８１】
個々の切削溝部分１８の幅は、この場合、鋸引き時に除去されるチップの幅に相当する。すなわち、このケースでは、幅の異なる５つの独立したチップが発生する。しかしまた、チップは全部又は部分的に同じ幅を有していてもよいであろう。
【００８２】
本発明による帯鋸１と従来技術の帯鋸１との違いを明確にするため、従来技術の帯鋸１を図５に示す。これは、荒削りカッターと仕上げカッターによる帯鋸１である。帯鋸１には、２つだけの形状の異なる歯１０、つまり第１の歯１１と第２の歯１２が交互に取り付けられている。第１の歯１１は、いわゆる荒削りカッターである。第２の歯１２は、いわゆる仕上げカッターである。第１の歯１１は第２の歯１２よりも背が高く、面取りされている。第２の歯１２は面取りされていない。第２の歯１２のフランク面１７は、この場合、第１の歯１１のフランク面１７と交差している。このようにして、２つの異なる歯１０によって３つの切削溝部分１８が形成される。
【００８３】
もう１つの従来技術の帯鋸１を図６に示す。この帯鋸１は、グループ方式による帯鋸１、詳細には出願人の「ＦＵＴＵＲＡ」ブランドの帯鋸１である。この場合、繰返し出現する歯グループは、第１の歯、第２の歯１２、第３の歯１３、第４の歯１４を有している。すべての歯１０は面取りされており、フランク面１７が重なり合うように形成され、配置されている。この場合、歯１０は高さと幅が段階的に変化するように形成され、それによって４つの歯１０で７つの切削溝部分１８が形成される。
【００８４】
図５及び図６による従来技術に比べ、少なくとも１つのチップブレーカー歯を備える新しい帯鋸１では、形状を変えて形成されている歯１０の数が少なくなり、独立した切削溝部分１８の数は増加している。
【００８５】
図７〜２４には、新しい帯鋸１のその他のさまざまな実施例が示されている。歯１０の特殊な形状を除き、帯鋸１の構造は、帯鋸１の第１の実施形態の構造にほぼ一致しているため、側面図及び平面図に関しては図１及び図２を参照されたい。この歯グループは、帯鋸１の長さに沿って一定のピッチで繰り返し出現する。しかしまた、可変ピッチも使用できるであろう。
【００８６】
図７は新しい帯鋸１の第２の実施例の、図４に対応する図である。帯鋸１は、形状を変えて形成されている２つの歯１０をグループ内に有している。第１の歯１１は、帯鋸１の第１の実施例とまったく同様に形成されている。第１の歯１１は性能歯と表面歯の組み合わせであり、ポジティブな円錐形の歯として形成されている。第２の歯１２は、帯鋸１の第１の実施例とは異なり、約６°のフランク角ではなく、約３°のフランク角を有している。このようにして、形状を変えて形成されている２つの歯１０を用いて、５つの切削溝部分１８が生じる。
【００８７】
図８は新しい帯鋸１のさらなる実施例の、図４に対応する図である。帯鋸１は、形状を変えて形成されている２つの歯１０をグループ内に有している。第１の歯１１は、帯鋸１の第１の実施例とまったく同様に形成されている。第１の歯１１は性能歯と表面歯の組み合わせであり、ポジティブな円錐形の歯として形成されている。第２の歯１２は、帯鋸１の第１の実施例とは異なり、面取り部１５を有している。このようにして、形状を変えて形成されている２つの歯１０を用いて、５つの切削溝部分１８が生じる。
【００８８】
図９は新しい帯鋸１のさらなる実施例の、図４に対応する図である。帯鋸１は、形状を変えて形成されている３つの歯１０をグループ内に有している。第１の歯１１は、やはり帯鋸１の第１の実施例と同様に形成されている。第１の歯１１は性能歯と表面歯の組み合わせであり、ポジティブな円錐形の歯として形成されている。第２の歯１２もやはり約６°のフランク角を有するが、帯鋸１の第１の実施形態よりも背が低くなっている。これにより、第３の歯１３のためのスペースが作られている。このケースでは、この歯が面取りされており、歯グループで２番目に高い歯１０になっている。第３の歯１３は、性能歯及びポジティブな円錐形の歯として形成されている。歯１２と１３は、機能的に共通して１つのチップブレーカー歯を形成している。このようにして、形状を変えて形成されている３つの歯１０を用いて、７つの切削溝部分１８が生じる。これは、形状の異なる４つの歯１０を備える図６による従来技術で達成している切削溝部分１８と同じ数である。
【００８９】
図１０は新しい帯鋸１のさらなる実施例の、図４に対応する図である。帯鋸１は、形状を変えて形成されている３つの歯１０をグループ内に有している。第１の歯１１は、やはり帯鋸１の第１の実施例と同様に形成されている。第１の歯１１は性能歯と表面歯の組み合わせであり、ポジティブな円錐形の歯として形成されている。すべての３つの歯１１、１２、１３は、約６°のフランク角を有している。第１の歯１１と第２の歯１２は面取りされている。第３の歯１３は面取りされていない。歯１０は、２つのチップブレーカー歯、つまり第２の歯１２と第３の歯１３が存在するように形成され、配置されている。第２の歯１２は、第１の歯１１のチップブレーカー歯である。第３の歯１３は、第２の歯１２のチップブレーカー歯である。同時に、歯１２及び１３はそれぞれ性能歯であり、かつポジティブな円錐形の歯として形成されている。このようにして、形状を変えて形成されている３つの歯１０を用いて、９つの切削溝部分１８が生じる。これは、形状の異なる４つの歯１０を備える図６による従来技術で達成している切削溝部分１８の数よりも多い。
【００９０】
図１１は新しい帯鋸１のさらなる実施例の、図４に対応する図である。帯鋸１は、形状を変えて形成されている３つの歯１０をグループ内に有している。第１の歯１１は、やはり帯鋸１の第１の実施例と同様に形成されている。第１の歯１１は性能歯と表面歯の組み合わせであり、ポジティブな円錐形の歯として形成されている。歯１１及び１３は、約６°のフランク角を有している。第２の歯１２は、約３．５°のフランク角を有している。第２の歯１２と第３の歯１３は面取りされていない。歯１２と１３はそれぞれ性能歯であり、かつポジティブな円錐形の歯として形成されている。歯１２と１３は、機能的に共通して１つのチップブレーカー歯を形成している。このようにして、形状を変えて形成されている３つの歯１０を用いて、７つの切削溝部分１８が生じる。これは、形状の異なる４つの歯１０を備える図６による従来技術で達成している切削溝部分１８と同じ数である。
【００９１】
図１２は新しい帯鋸１のさらなる実施例の、図４に対応する図である。帯鋸１は、形状を変えて形成されている４つの歯１０をグループ内に有している。第１の歯１１は、やはり帯鋸１の第１の実施例と同様に形成されている。第１の歯１１は性能歯と表面歯の組み合わせであり、ポジティブな円錐形の歯として形成されている。第１の歯１１は、約６°のフランク角を有している。第２の歯１２は、約−４°のフランク角を有している。歯１３及び１４は、それぞれ約３°のフランク角を有している。第１の歯１１と第３の歯１３は面取りされており、約４５°の面取り角を有している。第２の歯１２と第３の歯１４は面取りされていない。歯１３と１４はそれぞれ性能歯であり、かつポジティブな円錐形の歯として形成されている。歯１２は、性能歯及びネガティブな円錐形の歯として形成されている。歯１２、１３、１４は、機能的に共通して１つのチップブレーカー歯を形成している。このようにして、形状を変えて形成されている４つの歯１０を用いて、９つの切削溝部分１８が生じる。これは、形状の異なる４つの歯１０を備える図６による従来技術で達成している切削溝部分１８の数よりも多い。
【００９２】
図１３は新しい帯鋸１のさらなる実施例の、図４に対応する図である。帯鋸１は、形状を変えて形成されている４つの歯１０をグループ内に有している。第１の歯１１は、帯鋸１の第１の実施形態と同様に形成されているが、約３０°の面取り角を有している。歯１１、１３、１４は、それぞれ約６°のフランク角を有している。第２の歯１２は、約０°のフランク角を有している。第１の歯１１と第３の歯１３は面取りされており、約３０°の面取り角を有している。第２の歯１２と第３の歯１４は面取りされていない。歯１３と１４はそれぞれ性能歯であり、かつポジティブな円錐形の歯として形成されている。歯１２は、性能歯及び直線状の（円錐形でない）歯として形成されている。歯１２、１３、１４は、機能的に共通して１つのチップブレーカー歯を形成している。このようにして、形状を変えて形成されている４つの歯１０を用いて、９つの切削溝部分１８が生じる。
【００９３】
図１４は新しい帯鋸１のさらなる実施例の、図４に対応する図である。帯鋸１は、形状を変えて形成されている２つの歯１０をグループ内に有している。第１の歯１１は、帯鋸１の第１の実施例とまったく同様に形成されている。第１の歯１１は性能歯と表面歯の組み合わせであり、ポジティブな円錐形の歯として形成されている。第２の歯１２は面取りされておらず、ネガティブなフランク角を有している。この場合のフランク角は約−３．５°である。第２の歯１２は、性能歯、ネガティブな円錐形の歯及びチップブレーカー歯として形成されている。このようにして、形状を変えて形成されている２つの歯１０を用いて、５つの切削溝部分１８が生じる。
【００９４】
図１５は新しい帯鋸１のさらなる実施例の、図４に対応する図である。帯鋸１は、形状を変えて形成されている２つの歯１０をグループ内に有している。第１の歯１１は、帯鋸１の第１の実施例と同様に形成されているが、約３０°の面取り角を有している。第１の歯１１は性能歯と表面歯の組み合わせであり、ポジティブな円錐形の歯として形成されている。第２の歯１２はネガティブなフランク角を有している。この場合のフランク角は約−３°である。第２の歯１２は、性能歯、ネガティブな円錐形の歯及びチップブレーカー歯として形成されている。このようにして、形状を変えて形成されている２つの歯１０を用いて、５つの切削溝部分１８が生じる。
【００９５】
図１６は新しい帯鋸１のさらなる実施例の、図４に対応する図である。帯鋸１は、形状を変えて形成されている３つの歯１０をグループ内に有している。第１の歯１１は、やはり帯鋸１の第１の実施例と同様に形成されている。第１の歯１１は性能歯と表面歯の組み合わせであり、ポジティブな円錐形の歯として形成されている。第２の歯１２と第３の歯１３は同じ高さである。これらの歯は左右非対称に形成されている。この場合、第２の歯１２は長手方向中心面から左寄りに延びている。第３の歯１３は長手方向中心面から右寄りに延びている。従って、第２の歯１２の右のフランク面１７は第３の歯１３によって覆われている。第３の歯１３の左のフランク面１７は第２の歯１２によって覆われている。すなわち、歯１２、１３は目立てされた歯と機能的に同様に形成されており、このとき、非対称は後からの目立てによって形成されたものではなく、インサート４の形成によって得られたものである。歯１２及び１３はそれぞれ性能歯であり、かつ約３０°のフランク角を備えるポジティブな円錐形の歯として形成されている。歯１２と１３は、機能的に共通して１つのチップブレーカー歯を形成している。このようにして、形状を変えて形成されている３つの歯１０を用いて、５つの切削溝部分１８が生じる。
【００９６】
図１７は新しい帯鋸１のさらなる実施例の、図４に対応する図である。帯鋸１は、形状を変えて形成されている２つの歯１０をグループ内に有している。第１の歯１１は、帯鋸１の第１の実施形態と同様に形成されているが、より長い直線部分１６を有している。第１の歯１１は性能歯と表面歯の組み合わせであり、ポジティブな円錐形の歯として形成されている。第２の歯１２は面取りされていない。２つの歯１１、１２は、約６°のフランク角を有している。第２の歯１２は、性能歯、ポジティブな円錐形の歯及びチップブレーカー歯として形成されている。このようにして、形状を変えて形成されている２つの歯１０を用いて、５つの切削溝部分１８が生じる。
【００９７】
図１８は新しい帯鋸１のさらなる実施例の、図４に対応する図である。帯鋸１は、形状を変えて形成されている３つの歯１０をグループ内に有している。ここでは、第１の歯１１が帯鋸１の第１の実施例とは異なって形成されている。つまり、この歯はグループ内で最も背の高い歯１０ではない。従って、第１の歯１１は純粋な表面歯として形成されている。さらに、第１の歯は約６°のフランク角を備えるポジティブな円錐形の歯として形成されている。第２の歯１２と第３の歯１３はそれぞれ面取りされておらず、約3°のフランク角を有している。歯１２及び１３は、純粋な性能歯として形成されている。この場合、歯１２はグループ内で最も背の高い歯１０である。第３の歯１３はチップブレーカー歯として形成されている。このようにして、形状を変えて形成されている３つの歯１０を用いて、５つの切削溝部分１８が生じる。
【００９８】
図１９は、図１８に示されている実施形態に類似した新しい帯鋸１のさらなる実施例である。このケースでは、第１の歯１１がグループ内で最も背の低い歯１０として形成されている。第３の歯１３はチップブレーカー歯として形成されている。このようにして、形状を変えて形成されている３つの歯１０を用いて、５つの切削溝部分１８が生じる。
【００９９】
図２０は新しい帯鋸１のさらなる実施例の、図４に対応する図である。帯鋸１は、形状を変えて形成されている３つの歯１０をグループ内に有している。第１の歯１１は、帯鋸１の第１の実施例と同様に形成されているが、約３°のフランク角を有している。第１の歯１１は、性能歯と表面歯の組み合わせであり、ポジティブな円錐形の歯として形成されている。第２の歯１２と第３の歯１３はそれぞれ面取りされておらず、性能歯かつポジティブな円錐形の歯として形成されている。第２の歯１２は、約３°のフランク角を有している。第３の歯１３は、約６°のフランク角を有している。両方の歯１２、１３はチップブレーカー歯として形成されている。歯１２と１３は、機能的に共通して１つのチップブレーカー歯を形成している。このようにして、形状を変えて形成されている３つの歯１０を用いて、７つの切削溝部分１８が生じる。
【０１００】
図２１は新しい帯鋸１のさらなる実施例の、図４に対応する図である。この実施形態は、図１０に示されている実施形態といくつかの共通点を有している。異なっている点は、第１の歯１１が性能歯としてのみ形成されており、表面歯としては形成されていないことである。表面歯の機能は、第２の歯１２が引き受けている。この場合、第２の歯１２のフランク面１７が第１の歯１１のフランク面１７と交差し、さらに（この図において）歯支持体２の方向に重なっている。つまり、このことから、第２の歯１２はチップブレーカー歯ではない。このグループ内の唯一のチップブレーカー歯は歯１３である。このようにして、形状を変えて形成されている３つの歯１０を用いて、５つの切削溝部分１８が生じる。
【０１０１】
図２２は新しい帯鋸１のさらなる実施例の、図４に対応する図である。帯鋸１は、形状を変えて形成されている４つの歯１０をグループ内に有している。第１の歯１１は、やはり帯鋸１の第１の実施例と同様に形成されている。第１の歯１１は性能歯と表面歯の組み合わせであり、ポジティブな円錐形の歯として形成されている。この歯は、グループ内で唯一面取りした歯１０である。その他の歯１２、１３、１４は、面取りしていない歯１０として形成されている。第２の歯１２は約−４°のフランク角を有しており、従ってネガティブな円錐形の歯として形成されている。第３の歯１３は約６°のフランク角を有しており、従ってポジティブな円錐形の歯として形成されている。第４の歯１４は約３°のフランク角を有しており、従って同様にポジティブな円錐形の歯として形成されている。歯１２、１３、１４は、機能的に共通して１つのチップブレーカー歯を形成している。このようにして、形状を変えて形成されている４つの歯１０を用いて、９つの切削溝部分１８が生じる。
【０１０２】
図２３は新しい帯鋸１のさらなる実施例の、図４に対応する図である。帯鋸１は、形状を変えて形成されている３つの歯１０をグループ内に有している。第１の歯１１は、帯鋸１の第１の実施例とまったく同様に形成されている。第１の歯１１は性能歯と表面歯の組み合わせであり、ポジティブな円錐形の歯として形成されている。第２の歯１２は面取りされておらず、約３°のポジティブなフランク角を有している。第３の歯１３は面取りされており、約３°のポジティブなフランク角を有している。歯１２と１３は、機能的に共通して１つのチップブレーカー歯を形成している。このようにして、形状を変えて形成されている３つの歯１０を用いて、７つの切削溝部分１８が生じる。
【０１０３】
図２４は新しい帯鋸１のさらなる実施例の、図４に対応する図である。帯鋸１は、形状を変えて形成されている４つの歯１０をグループ内に有している。第１の歯１１は、帯鋸１の第１の実施例と同様に形成されているが、約３°のフランク角を有している。第１の歯１１は性能歯と表面歯の組み合わせであり、ポジティブな円錐形の歯として形成されている。第２の歯１２と第４の歯１４はそれぞれ面取りされている。第３の歯１３は面取りされていない。歯１２、１３、１４は、それぞれ約３°のフランク角を有している。第３の歯１３は、第２の歯１２に関するチップブレーカー歯として形成されている。歯１２及び１４は、機能的に共通して第１の歯１１に関するチップブレーカー歯を形成する。これにより、機能的には全部で２つのチップブレーカー歯が存在する。このようにして、形状を変えて形成されている４つの歯１０を用いて、１１つの切削溝部分１８が生じる。
【０１０４】
図２５〜２７は新しい帯鋸１のさらなる実施例の、図１、２及び４に対応する図である。帯鋸１は、形状を変えて形成されている３つの歯１０をグループ内に有している。第１の歯１１は、約３０°の面取り角を有している。第１の歯１１は性能歯と表面歯の組み合わせであり、ポジティブな円錐形の歯として形成されている。第１の歯１１は、約６°のフランク角を有している。歯１２及び１３は、目立てされた歯１０として形成されている。この場合、歯１２は、帯鋸の運動方向９に見て、帯鋸１の左側で作用する歯１０である。これに対応して、歯１３は、帯鋸の運動方向９に見て、帯鋸１の右側で作用する歯１０である。歯１２、１３の有効な領域は面取りされていない。これらの歯は、約３°のポジティブなフランク角を有している。歯１２及び１３は、それぞれチップブレーカー歯として形成されている。しかし、これらの歯はそれぞれ帯鋸１の長手方向中心面の片方にのみ機能を提供する。従って、これらの歯は、機能的に１つのチップブレーカー歯のように作用する。このようにして、形状を変えて形成されている３つの歯１０を用いて、５つの切削溝部分１８が生じる。
【０１０５】
図２８〜３０は新しい帯鋸１のさらなる実施例の、図１、２及び４に対応する図である。帯鋸１は、形状を変えて形成されている３つの歯１０をグループ内に有している。第１の歯１１は、約３０°の面取り角を有している。第１の歯１１は性能歯と表面歯の組み合わせであり、ポジティブな円錐形の歯として形成されている。第１の歯１１は、約６°のフランク角を有している。歯１２及び１３は、目立てされた歯１０として形成されている。このケースでは、歯１２は左へ、歯１３は右へ目立てされている。歯１２、１３は面取りされ、約４５°の面取り角を有している。これらの歯は、引き続き約３°のポジティブなフランク角を有している。歯１２及び１３は、それぞれチップブレーカー歯として形成されている。しかし、これらの歯はそれぞれ帯鋸１の長手方向中心面の片方にのみ機能を提供する。従って、これらの歯は、機能的に１つのチップブレーカー歯のように作用する。このようにして、形状を変えて形成されている３つの歯１０を用いて、５つの切削溝部分１８が生じる。
【０１０６】
図３１は新しい帯鋸１のさらなる実施例の、図４に対応する図である。帯鋸１は、形状を変えて形成されている２つの歯１０をグループ内に有している。第１の歯１１は、約２０°の面取り角を有している。第１の歯１１は性能歯と表面歯の組み合わせであり、ポジティブな円錐形の歯として形成されている。このようにして、形状を変えて形成されている２つの歯１０を用いて、５つの切削溝部分１８が生じる。
【０１０７】
図３２は新しい帯鋸１のさらなる実施例の、図４に対応する図である。帯鋸１は、形状を変えて形成されている２つの歯１０をグループ内に有している。第１の歯１１は、約３５°の面取り角を有している。第１の歯１１は性能歯と表面歯の組み合わせであり、ポジティブな円錐形の歯として形成されている。このようにして、形状を変えて形成されている２つの歯１０を用いて、５つの切削溝部分１８が生じる。
【符号の説明】
【０１０８】
１    帯鋸
２    歯支持体：
３    突出部
４    インサート
５    切刃
６    切断用エッジ
７    有効な切削エッジ部分
８    無効な切削エッジ部分
９    帯鋸の運動方向
１０    歯
１１    第１の歯
１２    第２の歯
１４    第４の歯
１５    面取り部
１６    直線部分
１７    フランク面
１８    切削溝部分
【図１】
0006726853.tif 000002
【図２】
0006726853.tif 000003
【図３】
0006726853.tif 000004
【図４】
0006726853.tif 000005
【図５】
0006726853.tif 000006
【図６】
0006726853.tif 000007
【図７】
0006726853.tif 000008
【図８】
0006726853.tif 000009
【図９】
0006726853.tif 000010
【図１０】
0006726853.tif 000011
【図１１】
0006726853.tif 000012
【図１２】
0006726853.tif 000013
【図１３】
0006726853.tif 000014
【図１４】
0006726853.tif 000015
【図１５】
0006726853.tif 000016
【図１６】
0006726853.tif 000017
【図１７】
0006726853.tif 000018
【図１８】
0006726853.tif 000019
【図１９】
0006726853.tif 000020
【図２０】
0006726853.tif 000021
【図２１】
0006726853.tif 000022
【図２２】
0006726853.tif 000023
【図２３】
0006726853.tif 000024
【図２４】
0006726853.tif 000025
【図２５】
0006726853.tif 000026
【図２６】
0006726853.tif 000027
【図２７】
0006726853.tif 000028
【図２８】
0006726853.tif 000029
【図２９】
0006726853.tif 000030
【図３０】
0006726853.tif 000031
【図３１】
0006726853.tif 000032
【図３２】
0006726853.tif 000033